(57)【特許請求の範囲】
【請求項１】
音声信号を圧縮する機能のついた留守番電話機能部を備えた通信端末装置において、
通信回線を介して入力される音声メッセージを、第１の圧縮符号化方式で圧縮して録音し、
通信回線に送出する音声メッセージを、前記第１の圧縮符号化方式よりも低い圧縮率の第２の圧縮符号化方式で圧縮して録音し、
前記第２の圧縮符号化方式として、少なくとも３種以上の圧縮率を有し、予め定める圧縮率での残録音時間を計算し、この圧縮率での残録音時間が所定時間以上の場合はそれよりも低い圧縮率での録音を選択し、前記予め定める圧縮率での残録音時間が所定時間以下の場合はそれよりも高い圧縮率での録音を選択するものを用い、
選択した圧縮率での残録音時間を計算し、この残録音時間を表示することを特徴とする通信端末装置。
【発明の詳細な説明】
【０００１】
【発明の属する技術分野】
本発明は、留守番電話機能のついた通信端末装置に関するものである。
【０００２】
【従来の技術】
留守番電話機能のついた通信端末装置では、例えば留守番電話機能の付いたファクシミリ装置においては、外線から着信があった時は不在であることを通知するため応答メッセージ（以下「ＯＧＭ」（Ｏｕｔ  Ｇｏｉｎｇ  Ｍｅｓｓａｇｅ）という。）を送出し、その後送信されてくる用件メッセージ（以下「ＩＣＭ」（Ｉｎｃｏｍｉｎｇ  Ｍｅｓｓａｇｅ）という。）の録音をする。
【０００３】
また、外線を保留したときには、相手を退屈させないために保留メロディを流す。ＯＧＭには音楽や鳥のさえずり等の動物の声などをＢＧＭ（バックグラウンドミュージック）として録音し、保留メロディには音楽や鳥のさえずりなどを録音している。
【０００４】
【発明が解決しようとする課題】
しかし、ＯＧＭ等の音声メッセージを録音するメモリ等には限界があるため、音声メッセージをできるだけ圧縮し録音時間を短縮しているが、回線から入力してくる音声メッセージと回線に送出する音声メッセージとを同じ圧縮率で録音しているので、次のような問題点があった。即ち、ＯＧＭ等の音声を録音するため圧縮率を高くすると、音楽や鳥の鳴き声等を圧縮して録音した後、再生すると音質が歪むという問題がある。ところが、圧縮率を低くすると録音件数が減るという問題が生じる。この問題は、圧縮率が固定であることに起因している。
本発明は、上記問題を解決した留守番電話機能を備えたファクシミリ装置等の通信端末装置を提供することにある。
【０００５】
【課題を解決するための手段】
本発明は、音声信号を圧縮する機能のついた留守番電話機能部を備えた通信端末装置において、
通信回線を介して入力される音声メッセージを、第１の圧縮符号化方式で圧縮して録音し、
通信回線に送出する音声メッセージを、前記第１の圧縮符号化方式よりも低い圧縮率の第２の圧縮符号化方式で圧縮して録音することを特徴とする。
【０００８】
【発明の実施の形態】
以下、図面を参照して本発明の実施の形態を説明する。
図１は、本発明の通信端末装置であるファクシミリ装置の構成をブロック図で示したものである。図中、１は制御部、２は読取部、３は記録部、４はキー操作部、５は表示部、６はＲＯＭ、７はＲＡＭ、８は送信画像を符号化又は受信画像を復号する画像コーデック、１５はモデム、１０は留守番電話機能部である。留守番電話機能部１０は回線Ｌから入力される音声メッセージをデジタル化するＡ／Ｄ変換器及びＯＧＭや保留メロディを回線に送出するときにアナログ信号に変換するＤ／Ａ変換器１１、音声コーデック１２、音声メッセージを録音するメモリ１３等から構成される。１４はＯＧＭ又は保留メロディを録音するマイク、１６は回線制御部である。
制御部１はＣＰＵ等で構成され、留守番電話機能部１０のメモリ１３の記憶領域を監視し残録音時間を演算するとともに、各処理部の信号処理を行う。
【０００９】
読取部２は、ＣＣＤセンサ等のスキャナーにより原稿を読み取る。
記録部３は、該読取部２で読み取った画像データ又は回線を介して送られてくる画情報を印字出力する。
キー操作部４は、ＯＧＭや保留メロディの録音等を開始するための録音キー、ＩＣＭやＯＧＭの内容を確認するための再生キー、発呼を行うための短縮キー、ワンタッチキー、電話番号を入力したりするためのテンキー、各種ファクシミリ機能を実行するための機能キー等により構成される。
【００１０】
表示部５は、再生する録音したＯＧＭ／ＩＣＭ等の着信シーケンス番号や電話番号等の各種表示を行う。
ＲＯＭ６は、ファクシミリ装置全体の制御や各種動作を行うための制御部１のプログラムを格納している。
ＲＡＭ７は、短縮／ワンタッチキーに対応して、相手先名称、電話番号等を記憶する。
【００１１】
画像用コーデック８は、回線Ｌより受信した符号化された画像信号を復号化し、記録部３へ送り印字出力する。一方、読取部２で読み取った原稿画像を符号化する。
スピーカ９は留守番電話機能部１０にマイク１４から入力したＯＧＭの内容や回線から入力されたＩＣＭの内容をオペレータが確認したいときに音声として出力する。
マイク１４は、オペレータが”ただいま留守にしております。”等のＯＧＭや保留メロディーを入力するために使用する。
【００１２】
モデム１５は、電話回線Ｌから送られてくる電話番号及びトーンを検出する電話番号検出部及びトーン検出部（不図示）、ファクシミリ通信手順を実行するため必要なプロトコル信号を発生するプロトコル信号発生回路（不図示）、プロトコル信号検出回路（不図示）、送受信される画像データを変調、復調する変復調回路（不図示）等から構成される。
【００１３】
留守番電話機能部１０は、回線ＬからのＩＣＭや回線ＬへのＯＧＭを送出する音声信号を圧縮録音し、再生時には音声信号を伸長して回線Ｌやスピーカに送出する機能をもつ。
【００１４】
留守番電話機能部１０は、Ａ／Ｄ・Ｄ／Ａ変換器１１、音声コーデック１２、メモリ１３により構成される。Ａ／Ｄ・Ｄ／Ａ変換器１１はマイク１４又は回線Ｌから回線制御部１６を介して送られてくるアナログ音声信号をデジタル音声信号に変換又はデジタル音声信号をアナログ音声信号に変化する機能をもつ。
【００１５】
音声コーデック１２は、Ａ／Ｄ・Ｄ／Ａ変換器で変換されたデジタル音声信号をＯＧＭ／保留メロディかに応じて圧縮方式を変更する機能をもつ。圧縮方式は、高圧縮符号化方式と低圧縮符号化方式とがある。高圧縮符号化方式にはＣＥＬＰ（Ｃｏｄｅ  Ｅｘｃｉｔｅｄ  Ｌｉｎｅａｒ  Ｐｒｏｄｕｃｔｉｏｎ）と呼ばれる符号化方式が採用される。低圧縮符号化方式にはＡＤＰＣＭ（Ａｄａｐｔｉｖｅ  Ｄｉｆｆｅｒｅｎｔｉａｌ  ＰＣＭ）が採用される。圧縮率は高圧縮符号化方式では３．６［ｋｂｐｓ］、４．０［ｋｂｐｓ］の２種類がある。低圧縮符号化方式では１４．４［ｋｂｐｓ］、１６．６［ｋｂｐｓ］、２１．６［ｋｂｐｓ］、２４．０［ｋｂｐｓ］、２８．８［ｋｂｐｓ］、３２．０［ｋｂｐｓ］の６種類の範囲で変更することができる。各圧縮率は、メモリの録音残り時間に応じて選択される。
【００１６】
メモリ１３は、音声コーデック１２により圧縮された音声データを記憶する。メモリ１３のメモリの使用状態を図６に示す。番地アドレス００００から０ＡＡＡまではＯＧＭ及び保留メロディを録音記憶する領域である。番地アドレス０ＡＡＡからＦＦＦＦまではＩＣＭを録音記憶する領域である。また、録音した種類毎に順番にシーケンス番号、圧縮率及び符号化方式を関連付けて記憶しておく。シーケンス番号は、スピーカ９で録音内容を確認したいときや録音件数を表示器に表示するときに使用する。
【００１７】
以上のように構成された留守番電話機能のついたファクシミリ装置の動作について図２から図５を参照して説明する。
図２は上記ファクシミリ装置においてマイク１４からＯＧＭ又は保留メロディを録音する場合のフローチャートである。
【００１８】
まず、Ｓ２１では、キー操作部４の録音キーが押下されたかどうかを監視する。録音キーを押下するとＳ２２に移行する。
Ｓ２２では、符号化方式を低圧縮符号化方式に決定するため制御部１から音声コーデックに信号を送出する。低圧縮符号化方式に決定するのは、ＯＧＭや保留メロディとして音楽や鳥のさえずりをできるだけ歪を少なくして録音したいためである。
【００１９】
Ｓ２３では、メモリ１３のＯＧＭ／保留メロディの録音領域の残録音時間を計算する。これは、メモリの残り領域のビット数から圧縮率により決定する。例えば、低圧縮符号化方式では上述したように６種類の範囲で変更することができるが、中央の圧縮率２１．６［ｋｂｐｓ］で計算したときにあと何秒録音できるか、を計算し、録音時間が３０秒以上ある場合は、圧縮率の低いもの、即ち２４．０［ｋｂｐｓ］、２８．８［ｋｂｐｓ］、３２．０［ｋｂｐｓ］の何れかで圧縮し再生時の音声品質を上げる。録音時間が３０秒以下の場合は、圧縮率の高いもの、即ち１４．４［ｋｂｐｓ］、１６．６［ｋｂｐｓ］の何れかの圧縮率で録音する。このようにして圧縮率を変更する。なお、圧縮率を変更する方法は以上のやり方に限定されない。
【００２０】
Ｓ２４では、Ｓ２３で決定した圧縮率で計算した残り時間を表示部５に表示してオペレータに知らせる。
Ｓ２５では、オペレータはマイク１４から音声又は保留メロディを入力する。音声を入力するときに、ＢＧＭ（バックグラウンドミュージック）を流しておき音声と一緒に録音してもよい。
【００２１】
Ｓ２６では、マイク１４からの音声入力又は保留メロディの録音が終了したかどうかを監視する。録音が終了すると図６に示すように例えば応答メッセージ１の後に保留メロディ１を録音すればシーケンス番号２として記憶され順次録音する毎にシーケンス番号を付与する。録音を終了したらＳ２７に移行する。
Ｓ２７では、表示器５に録音可能な残り時間を表示して終了する。
【００２２】
次に図３において、回線からの着信がありＩＣＭを録音する場合のフローチャートを示す。Ｓ３１では、回線制御部１６は、着信があるかどうかを監視する。着信があればＳ３２に移行する。
【００２３】
Ｓ３２では、制御部１は、回線を接続し直流ループを形成する。
Ｓ３３では、制御部１は、留守番電話部１０を作動しメモリ１３から応答メッセージ例えば”ただいま留守にしております。ご用のある方は留守録をお願いします。”を送出させる。
【００２４】
Ｓ３４では、制御部１は、メモリ１３のＩＣＭ録音領域の残録音時間を計算する。残録音時間は、メモリの残り領域のビット数から簡単に計算できる。例えば、低圧縮符号化方式で使用する圧縮率４．０［Ｋｂｐｓ］で計算したときにあと何秒録音できるかを計算し、録音時間が３０秒以上ある場合は、圧縮率の低いもの、即ち４．０［Ｋｂｐｓ］で圧縮し再生時の音声品質を上げる。録音時間が３０秒以下の場合は、圧縮率の高いもの、即ち３．６［Ｋｂｐｓ］で録音する。このようにして圧縮率を変更する。圧縮率を変更する方法は種々ありこれに限定されない。
【００２５】
Ｓ３５では、制御部１は、高圧縮符号化を採用するように音声コーデックに指示信号を出力する。
Ｓ３６では、回線Ｌから音声が入力されればＳ３７に移行する。
Ｓ３７では、入力された音声は、Ａ／Ｄ・Ｄ／Ａ変換器１１でデジタル変換され音声コーデックでＳ３４で変更された圧縮率で圧縮された後、メモリ１３へ記憶される。
【００２６】
Ｓ３８では、制御部１は、ＩＣＭの録音が終了したかどうかを判断して録音が終了すればＳ４３に移行する。
Ｓ３６で音声でなくＦＡＸ手順信号であるＣＮＧ信号を検出したら（Ｓ３９）、Ｓ４０でＦＡＸ受信を行う。ＣＮＧ信号を検出できなければＳ４１に移行する。
Ｓ４１では、制御部１は、回線を切断して処理を終了する。
【００２７】
次にメモリ１３に録音されたＩＣＭを再生するフローチャートを図４に示す。
Ｓ４４では、オペレータは、再生キーを押下しシケーンス番号を入力する。
Ｓ４５では、音声コーデック１２はシーケンス番号に対応した圧縮率から音声信号を元に戻す伸長率を決定する。
【００２８】
Ｓ４６では、音声コーデック１２はＳ４５で決定した伸長率で録音を再生しスピーカ９から音声出力する。オペレータは、これによりＩＣＭやＯＧＭ、保留メロディを確認することができる。  Ｓ４７では、制御部１は、録音再生が終了したかどうかを監視する。
Ｓ４８では、制御部１は、次に再生したいものがあるかどうかを監視する。
再生したいものがあれば、Ｓ４４に戻る。なければ終了する。
【００２９】
次に保留メロディを送出する場合について図５のフローチャートで説明する。
Ｓ６１では、制御部１は着信があるかどうかを監視する。
Ｓ６２では、制御部１は、着信があればベルが鳴動し（不図示）、タイマが起動する。  Ｓ６３では、制御部１は、ハンドセット１７がオフフックされたかどうかを監視する。
【００３０】
Ｓ６４では、ハンドセットがオフフックされればベル鳴動が停止し（不図示）、オペレータは相手と通話を行う。
Ｓ６５では、制御部１は、保留キーが押下されたかどうかを監視する。
Ｓ６７では、留守番電話機能部１０のメモリ１３から保留メロディの圧縮されたデータが読みだされ音声コーデック１２で伸長された後、Ａ／Ｄ・Ｄ／Ａ変換器１１でアナログ音声信号に変換され回線Ｌに送出される。
【００３１】
Ｓ６８では、制御部１は、保留解除がされたかどうかを判断し、解除されれば引き続き通話を再開する。解除されなければ保留メロディを送出し続ける。
Ｓ６９では、制御部１は、ハンドセット１７がオンフックされたかどうかを監視する。オンフックされれば通話を終了し、オンフックされなければ引き続き通話を行う。
Ｓ６６では、オフフックされずタイムアップすれば、ベルの鳴動は停止しオペレータが不在なので処理は終了する。
【００３２】
【発明の効果】
以上のように、本発明によれば、ＩＣＭ、ＯＧＭ／保留メロディと録音内容に応じて音質よく録音できる。また本発明によれば、ＯＧＭの音声を音質よく回線に送出することができる。また本発明によれば、ＩＣＭの録音件数を増加させ音質を劣化することなく録音できる。
【図面の簡単な説明】
【図１】本発明に係る通信端末装置の要部構成の一例を示したブロック図である。
【図２】本発明に係る通信端末装置のＯＧＭ／保留メロディ録音時の動作の一例を示すフローチャートである。
【図３】本発明に係る通信端末装置のＩＣＭ録音時の動作の一例を示すフローチャートである。
【図４】本発明に係る通信端末装置のＩＣＭ／ＯＧＭ／保留メロディ再生時の動作の一例を示すフローチャートである。
【図５】本発明に係る通信端末装置の保留メロディ送出時の動作の一例を示すフローチャートである。
【図６】本発明に係る通信端末装置の留守番電話部１０のメモリ１３の記憶状態を示す図である。
【符号の説明】
１・・・制御部
７・・・ＲＡＭ
１０・・・留守番電話部
１１・・・Ａ／Ｄ・Ｄ／Ａ変換器
１２・・・音声コーデック
１３・・・メモリ
【図１】
0003684794.tif 000002
【図２】
0003684794.tif 000003
【図３】
0003684794.tif 000004
【図４】
0003684794.tif 000005
【図５】
0003684794.tif 000006
【図６】
0003684794.tif 000007